(57)【要約】【課題】顧客に対して後頭部をカットしている様子を随時視認して確認させることができる鏡付き上衣及びその使用方法を提供するを提供する。【解決手段】鏡付き上衣１は、人体に着用させた際に人体の胸、腹にそれぞれ対応する胸部４、腹部５を有する衣服本体３と、該衣服本体３の前記胸部４の全域を覆う位置に形成された胸鏡６とを備えている。さらに、前記衣服本体３の前記腹部５の全域を覆う位置に形成された腹鏡７と、前記胸鏡６及び前記腹鏡７がそれぞれ離間して配されることにより形成された離間部１１とをさらに備えている。【選択図】        図１
2016148121.tif 000002
【特許請求の範囲】
【請求項１】
人体に着用させた際に人体の胸、腹にそれぞれ対応する胸部、腹部を有する衣服本体と、
該衣服本体の前記胸部の全域を覆う位置に形成された胸鏡とを備えたことを特徴とする鏡付き上衣。
【請求項２】
前記衣服本体の前記腹部の全域を覆う位置に形成された腹鏡と、
前記胸鏡及び前記腹鏡がそれぞれ離間して配されることにより形成された離間部とをさらに備えたことを特徴とする請求項１に記載の鏡付き上衣。
【請求項３】
前記離間部は、その離間距離が左右両端に向けて徐々に拡大している拡大部を有していることを特徴とする請求項２に記載の鏡付き上衣。
【請求項４】
前記衣服本体は、前面中央の上下方向全域に亘って形成されたファスナーを有し、
前記胸鏡及び前記腹鏡は、前記ファスナーが露出するように左右に離間して形成されていることを特徴とする請求項２又は３に記載の鏡付き上衣。
【請求項５】
顧客の前側に鏡を配し、
前記衣服本体を着用して前記顧客の後側から前記顧客の後頭部の頭髪をカットすることを特徴とする請求項１〜４のいずれかに記載の鏡付き上衣の使用方法。
【発明の詳細な説明】
【技術分野】
【０００１】
本発明は、美容師（理容師）がカット等の行為を行う際に顧客がその様子を視認できることを可能にするための鏡付き上衣及びその使用方法に関する。なお、本明細書では美容院による美容業を例にして説明するが、理容院による理容業についても適用できる。
【背景技術】
【０００２】
美容分野において、美容師が着用する上衣については様々なものが提案されている（例えば特許文献１参照）。特許文献１が開示する作業衣は、調髪行為を行いやすくするため、調髪に用いる道具を収納可能なポケットを設けている。
【０００３】
ここで、調髪等のいわゆるカット行為は顧客の頭髪に対してあらゆる角度から行われる。美容室では通常、顧客は椅子に座ってカットされ、その前側には比較的大型の鏡が設置されている。顧客は美容師によるカット行為をその鏡を見ながら確認できる。
【０００４】
しかしながら、顧客の後頭部の頭髪をカットしている場合、顧客は鏡を用いてその様子を確認することができない。このため、従来の美容院ではカット完了後に美容師が小型の鏡を手に取り、大型の鏡に小型の鏡を反射させることで顧客の後頭部を視認できるようにして確認させている。
【０００５】
また、後頭部をカットする様子を確認したいという顧客からの要望があった場合は、一旦カットを中止して適宜小型の鏡を用いて確認させながらカットを行っている。この作業は美容師にとっても面倒であり、また小型の鏡の取り扱い頻度が高まるため誤って落下させて破損させてしまうリスクを伴うことになる。
【先行技術文献】
【特許文献】
【０００６】
【特許文献１】実開昭５４−５０６１２号公報
【発明の概要】
【発明が解決しようとする課題】
【０００７】
本発明は、上記従来技術を考慮したものであり、顧客に対して後頭部をカットしている様子を随時視認して確認させることができる鏡付き上衣及びその使用方法を提供することを目的とする。
【課題を解決するための手段】
【０００８】
前記目的を達成するため、本発明では、人体に着用させた際に人体の胸、腹にそれぞれ対応する胸部、腹部を有する衣服本体と、該衣服本体の前記胸部の全域を覆う位置に形成された胸鏡とを備えたことを特徴とする鏡付き上衣を提供する。
【０００９】
好ましくは、前記衣服本体の前記腹部の全域を覆う位置に形成された腹鏡と、前記胸鏡及び前記腹鏡がそれぞれ離間して配されることにより形成された離間部とをさらに備えている。
【００１０】
好ましくは、前記離間部は、その離間距離が左右両端に向けて徐々に拡大している拡大部を有している。
【００１１】
好ましくは、前記衣服本体は、前面中央の上下方向全域に亘って形成されたファスナーを有し、前記胸鏡及び前記腹鏡は、前記ファスナーが露出するように左右に離間して形成されている。
【００１２】
また、顧客の前側に鏡を配し、前記衣服本体を着用して前記顧客の後側から前記顧客の後頭部の頭髪をカットすることを特徴とする鏡付き上衣の使用方法を提供する。
【発明の効果】
【００１３】
本発明によれば、衣服本体の胸部に胸鏡が形成されているので、美容師がこの衣服本体を着用して顧客をカットする際、顧客は前側に配された比較的大型の備え付け鏡を介して胸鏡に反射した自己の後頭部を視認することができる。このため、顧客は美容師が自己の後頭部をカットしている様子を随時視認して確認することができるので、カット時の安心感を得ることができるとともに、後頭部のカットに関して随時美容師に対して要望を伝えることができる。また美容師としてもカットの様子を顧客に視認させながら顧客の要望を確認することができるので、カットに対する満足感を顧客に与えることができる。
【００１４】
また、衣服本体の腹部に腹鏡を形成することで、顧客がロングヘアの場合にも腹鏡を利用して毛先まで視認させることができる。また離間部を形成することで、美容師が前かがみになっても離間部を介して胸鏡と腹鏡とは折れ曲がるので、カット時に作業を妨げられることはない。
【００１５】
また、離間部は拡大部を有しているので、美容師が左右方向に姿勢を傾けても胸鏡と腹鏡とが接触することで干渉しあうことを防止できる。したがって衣服本体を着用しながらカットする時の作業性が向上する。
【００１６】
また、衣服本体が前面中央の上下方向全域に亘ってファスナーを有するいわゆる前開きタイプの上衣の場合でも、そのファスナーが露出するように胸鏡及び腹鏡は左右に離間して形成しているので、ファスナーの上げ下げが妨げられることはない。また衣服本体を前開きタイプにすることで、着用しやすくなり取り扱い性が向上する。
【００１７】
また、衣服本体を美容室にて美容師が着用しながら顧客のカットを行うことで、顧客は後頭部のカットを視認できる。また、美容院がガラス張りの店舗形式であれば、胸鏡及び腹鏡による光の反射により美容院外に光線を発射することができるので、美容院の前を通る通行人に対して注意を惹くことができ、美容院の広告効果も期待できる。このとき、レーザー光線を発射する光源体を衣服本体のいずれかの位置に設ければ、胸鏡又は腹鏡による光の反射に加えてレーザー光線による通行人へのアピールができ、さらなる広告効果を期待できる。
【図面の簡単な説明】
【００１８】
【図１】本発明に係る鏡付き上衣の概略図である。
【図２】本発明に係る鏡付き上衣の使用方法の概略図である。
【発明を実施するための形態】
【００１９】
図１に示すように、本発明に係る鏡付き上衣１は、いわゆるベストタイプの被服であり、前面中央の上下方向全域に亘って形成されたファスナー２を有した衣服本体３を有している。衣服本体３は、少なくとも人体に着用した際にその人体の胸、腹にそれぞれ対応する胸部４、腹部５を有している。このように、衣服本体３を前開きタイプのベストとすることで着用しやすくさせて取り扱い性が向上した例を示すが、本発明に係る鏡付き上衣１を形成する衣服本体３はベストタイプに限らず、割烹着のような後側が開くタイプのものや、被りタイプのもの、あるいは胸部４及び腹部５のみからなるエプロンタイプのものでもよい。
【００２０】
衣服本体３の胸部４の全域を覆うようにして、その位置に胸鏡６が形成されている。また、衣服本体３の胸部５の全域を覆うようにして、その位置に腹鏡７が形成されている。このような胸鏡６、腹鏡７を備えた衣服本体３を美容師８が着用して顧客９の頭髪をカットする場合、図２に示すように、顧客９は前側に配された比較的大型の備え付け鏡（不図示）を介して胸鏡６及び腹鏡７に反射した自己の後頭部１０を視認することができる。なお、図２では胸鏡６と腹鏡７とが結合して一枚の鏡となっている例を示している。また、図２の例では美容師８の胸部４及び腹部５に鏡がある場合の概略を示しているため、美容師８が着用している衣服とは別に鏡を配して便宜的に説明する。このような位置に鏡があれば、顧客９は美容師８が自己の後頭部１０をカットしている様子を随時視認して確認することができるので、カット時の安心感を得ることができるとともに、後頭部１０のカットに関して随時美容師８に対して要望を伝えることができる。また美容師８としてもカットの様子を顧客９に視認させながら顧客９の要望を確認することができるので、カットに対する満足感を顧客９に与えることができる。
【００２１】
なお、このような効果は少なくとも胸鏡６のみがあれば得られることができる。腹部５までも覆う腹鏡７を備えれば、顧客９がロングヘアの場合にも腹鏡７を利用して毛先まで視認させることができるので好ましい。胸鏡６及び腹鏡７を設けた場合は、それらがそれぞれ離間して配されることにより形成された離間部１１がさらに備わっていることが好ましい。このような離間部１１を形成することで、美容師８が前かがみになっても離間部１１を介して胸鏡６と腹鏡７とは折れ曲がるので、カット時に作業を妨げられることはない。すなわち、美容師８は衣服本体３を着用しても容易に前かがみになれるので、普段行っているカット作業での姿勢を制限されることはない。
【００２２】
この離間部１１は、その離間距離が左右両端に向けて徐々に拡大している拡大部１２を有している。すなわち、胸鏡６及び腹鏡７は、左右外側に向けて互いにその離間部１１が広がるように、一辺の途中からその縁が斜めになるように形成されている。具体的には、胸鏡６は下辺が左右外方に向けて上側に斜めになるように形成されていて、腹鏡７は上片が左右外方に向けて下側に斜めになるように形成されている。このように離間部１１に拡大部１２を備えることで、美容師８が左右方向に姿勢を傾けても胸鏡６と腹鏡７とが接触することで干渉しあうことを防止できる。換言すれば、美容師８が左右側方に腰を曲げたとしても、胸鏡６と腹鏡７の左右の縁がそれぞれ接触してその腰の曲げを妨げることはない。したがって衣服本体３を着用しながらカットする時の作業性が向上する。
【００２３】
また、図１のように、衣服本体３がベストタイプの場合、胸鏡６及び腹鏡７は、ファスナー２が露出するように左右に離間して形成されていることが好ましい。このように、衣服本体３が前面中央の上下方向全域に亘ってファスナー２を有するいわゆる前開きタイプの上衣の場合でも、そのファスナー２が露出するように胸鏡６及び腹鏡７は左右に離間して形成しているので、ファスナー２の上げ下げが妨げられることはない。
【００２４】
このような本発明に係る鏡付き上衣１を実際に着用して美容師８が顧客９の頭髪をカットする場合、必ず顧客９の前側には鏡が配される。この鏡を利用して、胸鏡６又は腹鏡７の反射を利用して顧客９に自己の後頭部１０を視認させる。このとき、衣服本体３を着用した美容師８は、顧客９の後側から顧客９の後頭部１０の頭髪をカットしている。このように衣服本体３を着用した鏡付き上衣１の使用方法を用いれば、顧客９は後頭部１０のカットを視認できる（図２参照）。
【００２５】
一方で、美容院がガラス張りの店舗形式であれば、胸鏡６及び腹鏡７による光の反射により美容院外に美容院内の照明から発せられる光の光線を発射することができるので、美容院の前を通る通行人に対して注意を惹くことができ、美容院の広告効果も期待できる。このとき、レーザー光線を発射する光源体を衣服本体のいずれかの位置に設ければ、胸鏡又は腹鏡による光の反射に加えてレーザー光線による通行人へのアピールができ、さらなる広告効果を期待できる。
【００２６】
なお、上記胸鏡６及び腹鏡７は、常時むき出しの状態で露出させてもよいが、その反射面を覆うカバーを別途設けて必要な場合にのみ露出させてもよい。
【符号の説明】
【００２７】
１：鏡付き上衣、２：ファスナー、３：衣服本体、４：胸部、５：腹部、６：胸鏡、７：腹鏡、８：美容師、９：顧客、１０：後頭部、１１：離間部、１２：拡大部、１３：
【図１】
2016148121.tif 000003
【図２】
2016148121.tif 000004